(57)【要約】【課題】ユーザが番組の放送時間の延長や変更の可能性の有無を調べ、その結果に基づき設定を行わなくても、録画予約したい番組の放送時間が延長または変更された場合にもその番組を最初から最後まで完全に録画する録画予約装置を提供する。【解決手段】電子番組ガイド情報の中から、放送時間の延長の可能性の有無を表すキーワードを各番組について検索するキーワード検索手段１４と、キーワード（例えば“最大延長”）に付随する放送時間の最大延長時刻を表す時間情報を読み取る時間情報読み取り手段１５とを備え、キーワード検索手段の検索結果及び前記時間情報読み取り手段の読み取り結果に応じて、電子番組ガイド情報に含まれる放送開始予定時刻及び放送終了予定時刻に基づいて決定された録画開始時刻及び録画終了時刻の少なくとも一方を変更する。【選択図】        図１
2004289565.tif 000002
【特許請求の範囲】
【請求項１】
録画予約された番組の録画開始または録画終了を指示する制御信号を、テレビジョン放送信号に重畳されている電子番組ガイド情報に含まれる該録画予約された番組の放送開始予定時刻及び放送終了予定時刻に基づいて決定された録画開始時刻及び録画終了時刻に出力する機能を有するテレビジョン番組の録画予約装置において、
前記電子番組ガイド情報の中から、放送時間の延長の可能性の有無を表すキーワードを各番組について検索するキーワード検索手段と、
前記キーワードに付随する放送時間の最大延長時刻を表す時間情報を読み取る時間情報読み取り手段とを備え、
前記キーワード検索手段の検索結果及び前記時間情報読み取り手段の読み取り結果に応じて、前記決定された録画開始時刻及び録画終了時刻の少なくとも一方を変更することを特徴とするテレビジョン番組の録画予約装置。
【請求項２】
電子番組ガイド情報に含まれる放送終了予定時刻と前記最大延長時刻との差分を放送延長時間として算出する差分算出手段を備え、前記放送終了予定時刻に該差分算出手段が算出した放送延長時間を加算したものを前記録画終了時刻とすることを特徴とする請求項１に記載のテレビジョン番組の録画予約装置。
【請求項３】
電子番組ガイド情報に含まれる放送終了予定時刻と前記最大延長時刻との差分を放送延長時間として算出する差分算出手段を備え、録画予約された番組の前に放送され、放送スケジュール日とチャンネル番号が該録画予約された番組と同じである番組の中、放送時間が延長される可能性のある番組の放送延長時間を前記差分算出手段により算出し、該算出した放送延長時間を前記録画予約された番組の放送終了予定時刻に加算したものを録画終了時刻とすることを特徴とする請求項１に記載のテレビジョン番組の録画予約装置。
【請求項４】
録画予約された番組の前に放送され、放送スケジュール日とチャンネル番号が該録画予約された番組と同じである番組の中、放送時間が延長される可能性のある番組の放送延長時間を前記差分算出手段により算出し、該算出した放送延長時間を前記録画終了時刻に加算したものを新たな録画終了時刻とすることを特徴とする請求項２に記載のテレビジョン番組の録画予約装置。
【請求項５】
放送スケジュール日とチャンネル番号と録画開始時刻及び録画終了時刻とを、録画予約された各番組毎に記述する予約リストを記憶する手段を備えることを特徴とする請求項１から４のいずれか一項に記載のテレビジョン番組の録画予約装置。
【請求項６】
少なくとも放送スケジュール日とチャンネル番号と放送延長時間とを含む情報を、電子番組ガイド情報に含まれる全ての番組について予め記憶する手段を備えることを特徴とする請求項２から５のいずれか一項に記載のテレビジョン番組の録画予約装置。
【請求項７】
請求項１から６のいずれか一項に記載のテレビジョン番組の録画予約装置と、該録画予約装置の指示に従い番組を蓄積する手段と、蓄積された番組を再生する手段とを含むテレビジョン番組の録画再生装置。
【請求項８】
録画予約された番組の録画開始または録画終了を指示する制御信号を、テレビジョン放送信号に重畳されている電子番組ガイド情報に含まれる該録画予約された番組の放送開始予定時刻及び放送終了予定時刻に基づいて決定された録画開始時刻及び録画終了時刻に出力することを含む、テレビジョン番組の録画予約方法において、
前記電子番組ガイド情報の中から、放送時間の延長の可能性の有無を表すキーワードを各番組について検索し、
前記キーワードに付随する放送時間の最大延長時刻を表す時間情報を読み取り、
前記キーワードの検索結果及び前記時間情報の読み取り結果に応じて、録画開始時刻及び録画終了時刻の少なくとも一方を変更することを特徴とするテレビジョン番組の録画予約方法。
【請求項９】
電子番組ガイド情報に含まれる番組の放送終了予定時刻と前記最大延長時刻との差分を放送延長時間として算出し、前記放送終了予定時刻に該差分算出手段が算出した放送延長時間を加算したものを前記録画終了時刻とすることを特徴とする請求項８に記載のテレビジョン番組の録画予約方法。
【請求項１０】
録画予約された番組の前に放送され、放送スケジュール日とチャンネル番号が該録画予約された番組と同じである番組の中、放送時間が延長される可能性のある番組について電子番組ガイド情報に含まれる番組の放送終了予定時刻と最大延長時刻との差分を放送延長時間として算出し、該算出した放送延長時間を前記録画予約された番組の放送終了予定時刻に加算したものを録画終了時刻とすることを特徴とする請求項８に記載のテレビジョン番組の録画予約方法。
【請求項１１】
録画予約された番組の前に放送され、放送スケジュール日とチャンネル番号が該録画予約された番組と同じである番組の中、放送時間が延長される可能性のある番組について電子番組ガイド情報に含まれる番組の放送終了予定時刻と最大延長時刻との差分を放送延長時間として算出し、該算出した放送延長時間を前記録画終了時刻に加算したものを新たな録画終了時刻とすることを特徴とする請求項９に記載のテレビジョン番組の録画予約方法。
【請求項１２】
放送スケジュール日とチャンネル番号と録画開始時刻及び録画終了時刻とを、録画予約された各番組毎に予約リストに記憶することを特徴とする請求項８から１１のいずれか一項に記載のテレビジョン番組の録画予約方法。
【請求項１３】
少なくとも放送スケジュール日とチャンネル番号と放送延長時間とを含む情報を、前記電子番組ガイド情報に含まれる全ての番組について予め記憶することを特徴とする請求項９から１２のいずれか一項に記載のテレビジョン番組の録画予約方法。
【発明の詳細な説明】
【０００１】
【発明の属する技術分野】
本発明は、テレビジョン番組を録画予約する装置および方法、特に、放送時間が延長または変更される可能性のある番組を録画するのに好適な装置および方法に関する。
【０００２】
【従来の技術】
テレビジョン番組を録画予約する装置には、番組タイトルや放送時間などの情報を提供する文字放送を受信し、これらの情報を元にテレビなどの表示装置の画面に番組表を表示し、ユーザが画面上の番組表から録画したい番組をカーソルなどを用いて選択するだけで、簡単に録画予約ができるようにしたものがある（例えば特許文献１参照）。
【０００３】
また、録画開始時刻または録画終了時刻にオフセット時間を設定できるようにし、それにより録画したい番組の放送時間が延長または変更されても、これに柔軟に対応できるようにしたものもある（例えば、特許文献２参照）。
【０００４】
【特許文献１】
特開平０５−５６４１０号公報（図１６）
【特許文献２】
特開２００１−１５５３９３号公報（図１７）
【０００５】
【発明が解決しようとする課題】
しかしながら、例えば特許文献１に記載の文字放送の受信により得られた情報（番組の放送開始時刻及び放送終了時刻）を元に録画開始時刻及び録画終了時刻を設定する録画予約装置では、例えばスポーツ番組など放送時間が延長された番組があった場合、この番組とその後に放送される番組については放送時間が延長または変更されるため、番組の最初から最後まで録画できないという問題があった。
【０００６】
また、例えば特許文献２に記載の録画開始時刻または録画終了時刻にオフセット時間を設定することを許容し、番組の放送時間の変更に対処できるようにした録画予約装置でも、オフセット時間を設定するのはユーザであり、適切なオフセット時間を決定するには、テレビの画面等に表示された番組表あるいは新聞や雑誌等の番組表を見て、録画したい番組が延長される可能性があるか、また、録画予約された番組の前に放送される番組の中で延長される可能性のあるものがあるかを調べる必要があり、更には、延長される可能性がある場合その最大延長時間も調べる必要があり、使い勝手が悪いという問題があった。
【０００７】
この発明は、上記の問題を解消するためになされたものであり、ユーザが番組の放送時間の延長や変更の可能性の有無を調べ、その結果に基づき設定を行わなくても、録画予約された番組の放送時間が延長または変更された場合にもその番組を最初から最後まで完全に録画することを可能にする装置及び方法を提供することを目的とする。本発明の他の目的は、録画予約された番組の前に放送される番組の放送時間が延長または変更された場合にも、録画予約された番組を最初から最後まで完全に録画することを可能にする装置及び方法を提供することである。
【０００８】
【課題を解決するための手段】
上記目的を達成すべく、録画予約された番組の録画開始または録画終了を指示する制御信号を、テレビジョン放送信号に重畳されている電子番組ガイド情報に含まれる該録画予約された番組の放送開始予定時刻及び放送終了予定時刻に基づいて決定された録画開始時刻及び録画終了時刻に出力する機能を有する本発明のテレビジョン番組の録画予約装置は、
前記電子番組ガイド情報の中から、放送時間の延長の可能性の有無を表すキーワードを各番組について検索するキーワード検索手段と、
前記キーワードに付随する放送時間の最大延長時刻を表す時間情報を読み取る時間情報読み取り手段とを備え、
前記キーワード検索手段の検索結果及び前記時間情報読み取り手段の読み取り結果に基づき、前記決定された録画開始時刻及び録画終了時刻の少なくとも一方を変更することを特徴とする。
【０００９】
上記他の目的は、上記録画予約装置に、電子番組ガイド情報に含まれる放送終了予定時刻と前記最大延長時刻との差分を放送延長時間として算出する差分算出手段を備え、録画予約された番組の前に放送され、放送スケジュール日とチャンネル番号が該録画予約された番組と同じである番組の中、放送時間が延長される可能性のある番組の放送延長時間を前記差分算出手段により算出し、該算出した放送延長時間に応じて録画予約された番組の録画終了時刻を変更することにより達成される。
【００１０】
また、上記目的を達成すべく、録画予約された番組の録画開始または録画終了を指示する制御信号を、テレビジョン放送信号に重畳されている電子番組ガイド情報に含まれる該録画予約された番組の放送開始予定時刻及び放送終了予定時刻に基づいて決定された録画開始時刻及び録画終了時刻に出力することを含む、本発明のテレビジョン番組の録画予約方法は、
前記電子番組ガイド情報の中から、放送時間の延長の可能性の有無を表すキーワードを各番組について検索し、
前記キーワードに付随する放送時間の最大延長時刻を表す時間情報を読み取り、
前記キーワードの検索結果及び前記時間情報の読み取り結果に応じて、録画開始時刻及び録画終了時刻の少なくとも一方を変更することを特徴とする。
また、上記他の目的は、上記方法において、録画予約された番組の前に放送され、放送スケジュール日とチャンネル番号が該録画予約された番組と同じである番組の中、放送時間が延長される可能性のある番組について電子番組ガイド情報に含まれる番組の放送終了予定時刻と最大延長時刻との差分を放送延長時間として算出し、該算出した放送延長時間に応じて録画予約された番組の録画終了時刻を変更することにより達成される。
【００１１】
【発明の実施の形態】
図１は本発明の実施の形態１に係るテレビジョン番組の録画予約装置を備えた録画機能付きテレビジョン受像機２０の構成を示すブロック図である。
【００１２】
このテレビジョン受像機２０は、例えば、地上波テレビジョン放送、衛星テレビジョン放送などのテレビジョン番組の映像と音声をリアルタイムで表示・出力するだけでなく、ユーザの操作に従ってテレビジョン番組を録画・再生することができるものである。尚、説明を簡単にするため、図１のブロック図では、音声信号系の信号経路は省略している。
【００１３】
このテレビジョン受像機２０において、ユーザの操作するリモートコントローラ（以下、リモコンという）７から出力される選局コマンド、録画予約コマンド、再生コマンド等の各種コマンドは受光部８に受信され、制御部４に送られる。
【００１４】
制御部４はＣＰＵ（Ｃｅｎｔｒａｌ  Ｐｒｏｃｃｅｓｓｉｎｇ  Ｕｎｉｔ）、演算処理などに使用されるＲＡＭ（Ｒａｎｄｏｍ  Ａｃｃｅｓｓ  Ｍｅｍｏｒｙ）、制御用プログラムなどが格納されているＲＯＭ（Ｒｅａｄ  Ｏｎｌｙ  Ｍｅｍｏｒｙ）等を含んで構成される。制御部４には、キーワード検出部１４と時間情報読み取り部１５も含まれ、これらの機能はＲＯＭから読み出した制御用プログラムを実行することにより実現される。制御部４はまた、リモコン７から送信されるコマンド情報に基づき、テレビジョン受像機２０の全体を制御する。
【００１５】
先ず、テレビジョン放送信号をアンテナで受信し、そのまま視聴する際のテレビジョン受像機２０の各部の動作を説明する。
同調回路、復調回路、多重分離回路等からなる受信部２は、アンテナ１が受信したテレビジョン放送信号から、制御部４が出力する選局信号に応じた周波数の信号を抽出して復調し、これを映像信号と音声信号とに分離して分離部３に送る。分離部３は、受信部２からの映像信号を処理することによりテレビジョン放送信号に重畳されている電子プログラムガイド（以下、ＥＰＧ（Ｅｌｅｃｔｒｏｎｉｃ  Ｐｒｏｇｒａｍ  Ｇｕｉｄｅ）という）を分離し、分離したＥＰＧをＥＰＧ蓄積部５に送ると共に、ＥＰＧの分離された映像信号と音声信号とを切替部９に送る。
【００１６】
ＥＰＧには、番組名、番組内容を説明した番組情報、放送チャンネル番号、放送日、放送開始時刻、放送終了時刻などが含まれており、制御部４の指示によりＥＰＧ蓄積部５に蓄積される。ＥＰＧ蓄積部５は、内容を書き換えることができるように、かつ装置の電源をＯＦＦにしても蓄積した情報が消去されないように、例えばＮＶＲＡＭ（Ｎｏｎ−ｖｏｌａｔｉｌｅ  ＲＡＭ：不揮発性ＲＡＭ）、または記憶容量の大きいハードディスクなどで構成される。
【００１７】
切替部９は、制御部４からの指示に従い、分離部３からの映像信号と音声信号または後述の蓄積部１１からの映像信号と音声信号のいずれかを選択して表示部１０に送るものであるが、テレビジョン放送信号をアンテナで受信し、そのまま視聴する場合には分離部３からの映像信号と音声信号を表示部１０に送る。表示部１０は、ＣＲＴ（Ｃａｔｈｏｄｅ  Ｒａｙ  Ｔｕｂｅ）等の表示デバイスとスピーカを含んで構成され、切替部９から送られる映像信号と音声信号とに従い、画像を画面に表示すると共に、スピーカから音声を発する。
【００１８】
次に、テレビジョン番組を予約録画する際の上記テレビジョン受像機２０の各部の動作を説明する。
【００１９】
ユーザがリモコン等の操作により録画予約した番組の情報は記憶部６内の予約リストに格納される。制御部４は一定時間毎（例えば１分毎）に、予約リストの内容を読み、録画予約がなされた番組の録画開始時刻になると、その番組の放送チャンネル番号を受信するよう選局信号を受信部２へ送る。尚、記憶部６は、内容を書き換えることができるように、かつシステムの電源をＯＦＦにしても蓄積した情報が消去されないように、例えばＮＶＲＡＭで構成される。
【００２０】
テレビジョン放送信号をアンテナで受信し、そのまま視聴する場合と同様、受信部２は、アンテナ１が受信したテレビジョン放送信号から、制御部４が出力する選局信号に応じた周波数の信号を抽出して復調し、これを映像信号と音声信号とに分離して分離部３に送る。分離部３は、受信部２からの映像信号を処理することによりテレビジョン放送信号に重畳されているＥＰＧを分離し、分離したＥＰＧをＥＰＧ蓄積部５へ送る共に、ＥＰＧの分離された映像信号と音声信号とを切替部９に送る。
【００２１】
切替部９は、分離部３からの映像信号及び音声信号が蓄積部１１に向かうように信号経路を切り替え、これにより録画予約された番組の映像信号及び音声信号が蓄積部１１に蓄積される。制御部４は、録画終了時刻になると、受信部２に対してテレビジョン放送信号の受信を止めるよう指示するとともに、蓄積部１１に対しても録画動作を停止するよう指示し、録画を終了する。このとき、録画が終了した番組の予約設定に関する情報は、制御部４からの指示により記憶部６内の予約リストから削除される。
【００２２】
蓄積部１１は、切替部９より送られてくる映像信号と音声信号を蓄積するものであり、例えばランダムアクセス可能なハードディスクからなる。蓄積部１１としてハードディスクを用いれば、ユーザは任意の順序で映像信号と音声信号とを再生することができ、また大容量であるので多くの番組の映像信号および音声信号を蓄積することができる。尚、蓄積部１１は、着脱可能な記憶媒体を用いるものであってもよい。
【００２３】
次に、蓄積部１１に蓄積された番組を再生する際のテレビジョン受像機２０の各部の動作を説明する。この場合は、制御部４からの再生指示に基づき、蓄積部１１は再生指示のあった番組の映像信号と音声信号とを読み出し、切り替え部９は蓄積部１１から出力される映像信号および音声信号を表示部１０に送る。表示部１０では切り替え部９からの映像信号及び音声信号に従い映像を画面に表示するとともに、音声をスピーカから発する。
【００２４】
次に、放送時間が延長される可能性のある番組を録画予約する際のテレビジョン受信機２０の各部の動作を図２〜図５を参照して説明する。
【００２５】
ＥＰＧ蓄積部５には、分離部３で分離されたＥＰＧが格納されており、制御部４は、このＥＰＧから図２に示す番組表を作成して表示部１０に表示する。図中の２３は選択されている番組を示すカーソルである。リモコン７にはカーソル２３の位置を移動するための左右上下の方向キーと選択決定を入力するための決定キーとが備えられ、ユーザはこのリモコン７を操作してカーソル２３を上下左右に移動させ、番組を選択することができる。図２はスポーツ８の番組が選択されている状態を示している。
【００２６】
また、図２の番組表では、縦軸は放送時間を示し、横軸は放送チャンネル番号を示している。従って例えばバラエティ４の番組は、１９時００分から２０時００分の間、放送チャンネル番号４の放送局から放送されることが分かる。
【００２７】
ユーザがリモコン７のキーを操作してカーソル２３を上下左右に移動することにより録画予約したい番組を選択し、録画予約設定を行うと、制御部４は、ＥＰＧ蓄積部５に格納されているＥＰＧから、ユーザが選択した番組の放送日、放送チャンネル番号、放送開始時刻、放送終了時刻を読み取り、記憶部６の予約リストに記憶する。
【００２８】
図３はＥＰＧ蓄積部５に蓄積されたＥＰＧに含まれる各番組の情報（以下、ＥＰＧ情報という）を示している。図３には、番組名が「スポーツ８」であり、放送チャンネル番号が「８」であり、「９／１５（日）１９：００−２１：００」に放送され、その番組情報が「解説・Ａ  実況・Ｂ（最大延長２１：３０まで、以降の番組繰り下げ）」であることが表されている。即ち、この番組は、放送終了予定時刻は２１時００分であるが、状況によっては２１時３０分まで延長される可能性のある番組である。
【００２９】
次に、ユーザがこの番組を録画予約した場合の装置の動作を図４のフローチャートを参照して説明する（以下、ユーザが録画予約した番組を予約番組という）。
【００３０】
ユーザが番組の録画を予約すると、制御部４は予約番組についてのＥＰＧ情報をＥＰＧ蓄積部５から読み取り（ステップＳ５１）、キーワード検出部１４により読み取ったＥＰＧ情報に“最大延長”の文字があるか否かを調べる（ステップＳ５２）。“最大延長”の文字が無いと判定されれば（ステップＳ５３）、ステップＳ５１で読み取ったＥＰＧ情報に含まれる放送終了予定時刻を録画終了時刻に設定する（ステップＳ５７）。そして予約番組の放送日（ステップＳ５１で読み取った放送日）、放送チャンネル番号（ステップＳ５１で読み取った放送チャンネル番号）、録画開始時刻（ステップＳ５１で読み取った放送開始予定時刻）、録画終了時刻（ステップＳ５７で設定した録画終了時刻）の各項目を予約リストに登録し（ステップＳ５６）、記憶部６に記憶して終了する。
【００３１】
ステップＳ５３で“最大延長”の文字が検出された場合、即ち予約番組が図３に示した放送時間の延長の可能性のある番組である場合は、時間情報読み取り部１５により“最大延長”の文字に続く時間情報を読み取る（ステップＳ５４）。図３の番組の場合、時間情報は、“２１：３０”である。そこでステップＳ５１で読み取った放送終了時刻“２１時００分”の代わりに、ステップＳ５４で読み取った時間情報“２１時３０分”を録画終了時刻に設定する（ステップＳ５５）。
【００３２】
その後ステップＳ５６へ進み、放送日を９月１５日（ステップＳ５１で読み取った放送日）、放送チャンネル番号を８（ステップＳ５１で読み取った放送チャンネル番号）、録画開始時刻を１９時００分（ステップＳ５１で読み取った放送開始予定時刻）、録画終了時刻を２１時３０分（ステップＳ５５で設定した録画終了時刻）の各項目を予約リストに登録し（ステップＳ５６）、記憶部６に記憶して終了する。その結果を図５に示す。即ち、ＥＰＧ情報は「スポーツ８」は１９時００分から２１時００分まで放送されることを示しているが、状況によって放送時間が２１時３０分まで延長される可能性があることも示しているため、２１時３０分まで録画を行うように録画終了時刻を変更する。
【００３３】
以上説明したように、本実施の形態１によれば、ユーザが放送時間が延長される可能性のある番組を録画予約した場合、テレビ放送信号に重畳されているＥＰＧから放送時間の最大延長時刻を検出し、検出した最大延長時刻を録画終了時刻に設定することにより、放送時間が延長されても番組の最初から最後まで確実に録画することができる。この場合、ユーザは複雑な操作をする必要は無く、また、番組表などを見て、録画したい番組の放送時間が延長される可能性があるか否かを確認する必要も無い。
【００３４】
尚、本実施形態では、予約番組が放送時間の延長される可能性のある番組であるか否かを、読み取ったＥＰＧ情報に“最大延長”の文字が含まれるか否かにより判定しているが、必ずしもこれに限定されるものではなく、ＥＰＧ情報の内容に応じ、適切な方法を用いることができる。
【００３５】
また、最大延長時刻を表す時間情報は「最大延長」の文字に続く数字の文字コードを有する文字を読み取ることによりに得ることができ、また、時間情報を“時”と“分”に分割するには、“：”をデリミタとすればよい。但しこの方法に限定されるものではない。
【００３６】
さらに、表示部１０に表示する番組表は、図２では縦軸に放送時間を取り、横軸に放送チャンネル番号を取っているが、これと反対に、縦軸に放送チャンネル番号を取り、横軸に放送時間を取っても良い。また、表示部１０に表示する番組表は、図２ではＥＰＧ蓄積部５に格納されているＥＰＧ情報の一部を表示しているが、その全てを表示してもよい。
【００３７】
実施の形態２．
上記の実施の形態１によれば、放送時間が延長される番組については、テレビジョン放送信号に重畳されているＥＰＧ情報に基づき、放送時間の延長を考慮して録画終了時刻を自動的に設定するので、放送時間が延長されても予約番組を最初から最後まで完全に録画することができる。しかし、放送時間が延長された番組の後に放送される番組を録画予約した場合、予約番組の実際の放送開始時刻はＥＰＧ情報に含まれる放送開始予定時刻から繰り下がり、それに伴って放送終了予定時刻も繰り下がるため、予約番組を最初から最後まで完全に録画することができなくなる。
【００３８】
本実施の形態２は、予約番組が放送時間の延長される可能性のある番組であっても、また、放送時間の延長される可能性のある番組の後に放送される番組であっても、さらには、予約番組が放送時間の延長される可能性のある番組の後に放送され、且つそれ自体延長される可能性のある番組であっても、ユーザが特別の操作を行うことなく、予約番組を最初から最後まで完全に録画することを可能にする構成を備えるものである。
【００３９】
図６は、本発明の実施の形態２に係るテレビジョン信号の録画予約装置を備えた録画機能付きテレビジョン受像機２０の構成を示すブロック図である。尚、図６の構成は、図１の構成と制御部４のみが異なるので、構成の説明は制御部４のみとし、他の部分については省略する。
【００４０】
実施の形態１では、制御部４は、ＲＯＭに格納されている制御用プログラムを実行することにより、キーワード検出部１４及び時間情報読み取り部１５の各機能を実現しているが、本実施の形態２では更に差分算出部２５及び加算部２６の各機能も実現するように構成されている。また実施の形態１と同様、リモコン７から送信されるコマンド情報に基づき、テレビジョン受像機２０の全体を制御する。
【００４１】
上記構成のテレビジョン受信機において、放送時間が延長される可能性のある番組の後に放送される番組の録画予約を行う場合の動作を図７のフローチャートを参照して説明する。
【００４２】
ユーザが録画予約の操作を行うと、制御部４は予約番組に関するＥＰＧ情報をＥＰＧ蓄積部５から読み取る（ステップＳ７１）。そして予約番組が放送時間の延長される可能性のある番組であるか否かを調べるため、読み取ったＥＰＧ情報に“最大延長”の文字が含まれるか否かを調べる（ステップＳ７２）。“最大延長”の文字が無いと判定されれば（ステップＳ７３）、ステップＳ７１で読み取ったＥＰＧ情報に含まれる放送終了予定時刻を予約番組の録画終了時刻に設定する（ステップＳ７６）。ステップＳ７３で“最大延長”の文字があると判定された場合は時間情報読み取り部１５により“最大延長”の文字に続く時間情報を読み取り（ステップＳ７４）、読み取った時間情報が示す放送終了予定時刻を録画終了時刻に設定する（ステップＳ７５）。
【００４３】
スタートからステップＳ７５またはステップＳ７６までの処理により、予約番組の放送時間が延長される可能性があるか否かが調べられ、延長の可能性がある場合には録画終了時刻が繰り下げられる。続いて、予約番組の前に放送される番組の中、放送時間が延長され得るものがあるか否かを調べる。何故ならば、予約番組の前に放送される番組の放送時間が延長されると、予約番組の放送開始予定時刻及び放送終了予定時刻が変更されるからである。
【００４４】
先ず、ＥＰＧ蓄積部５に格納されている各番組のＥＰＧ情報を順次読み取る（ステップＳ７７）。読み出したＥＰＧ情報に含まれる放送スケジュール日と放送チャンネル番号とが予約番組と同じであるか否かを調べる（ステップＳ７８）。放送スケジュール日と放送チャンネル番号が予約番組と同じでなかった場合はステップＳ８４へ進み、検索範囲を超えたか否かを判定する。検索範囲を超えていないと判定された場合は、ステップＳ７７に戻り、次の番組のＥＰＧ情報を調べる。
【００４５】
ここで、「同じ放送スケジュール日」の意味を説明する。テレビ放送のスケジュールは、５時００分から開始し、翌日の４時５９分で終了することが多い。そこで本実施の形態においては、「同じ放送スケジュール日の番組」とは、５時００分から翌日の４時５９分の間に放送される番組を指すものとする。
【００４６】
また、「検索範囲」は、ＥＰＧ蓄積部５に蓄積されているＥＰＧに含まれる全ての番組のＥＰＧ情報からなる範囲が対象であるが、その中でも特に、予約番組と同じ放送スケジュール日に放送される同じ放送チャンネル番号の番組で、かつ、予約番組よりも前に放送が終了する番組である。従って「検索範囲を超えた」ときには、予約番組と同じ放送スケジュール日に同じ放送チャンネル番号で放送され、かつ放送開始時刻が予約番組よりも早い番組が全て漏れなく検索されたことになる。
【００４７】
ステップＳ７８で同じ放送スケジュール日と同じ放送チャンネル番号を持つ番組が見つかったと判定された場合は、見つかった番組のＥＰＧ情報を参照して、キーワード検出部１４により“最大延長”の文字を検索する（ステップＳ７９）。検索の結果、ステップＳ８０において“最大延長”の文字がないと判定された場合にはステップＳ８４へ進み、検索範囲を超えたか否かを調べる。検索範囲を超えていないと判定された場合は、ステップＳ７７へ戻り、ＥＰＧ蓄積部５に格納されている次の番組のＥＰＧ情報を読み取り、上記同様に、この番組が予約番組と同じ放送スケジュール日および同じ放送チャンネル番号であるか否かを調べる。
【００４８】
ステップＳ８０で、“最大延長”の文字が検出された場合（以下、最大延長の文字の検出された番組を検出番組という）、時間情報読み取り部１５により、“最大延長”の文字に続く時間情報を読み取る。そして、差分算出部２５により、この時間情報が示す最大延長時刻と放送終了予定時刻との差分（以下、放送延長時間という）を算出する（ステップＳ８２）。その後、加算部２６によりステップＳ７５またはステップＳ７６で設定した録画終了時刻に、ステップＳ８２で算出した放送延長時間を加算したものを予約番組の録画終了時刻に設定し直す。
【００４９】
続いて、ステップＳ８４へ進み、検索範囲を超えたか否かの判定が行われる。ステップＳ８４で検索範囲を超えていないと判定された場合は、ステップＳ７７に戻り、ＥＰＧ蓄積部５に格納されている次の番組のＥＰＧ情報について、同様の処理を行う。
【００５０】
ステップＳ８４で検索範囲を超えたと判定された場合は、予約番組の放送日（ステップＳ７１で読み取った放送日）、放送チャンネル番号（ステップＳ７１で読み取った放送チャンネル番号）、録画開始時刻（ステップＳ７１で読み取った放送開始予定時刻）、録画終了時刻（ステップＳ７５またはステップＳ７６またはステップＳ８３で設定した録画終了時刻）の各項目を予約リストに登録し（ステップＳ８５）、記憶部６に記憶して終了する。
【００５１】
以上の処理を、具体的な例を挙げてより詳細に説明する。
【００５２】
例えば、ユーザが図２に示す番組表から、「ドラマ８」の録画を予約したとする。図８に、この「ドラマ８」のＥＰＧ情報の内容を表す。このＥＰＧ情報から、番組名が「ドラマ８」であり、放送チャンネル番号が「８」であり、「９／１５（日）２１：００−２２：００」に放送され、その内容が「出演・Ａ  Ｂ  Ｃほか」であることが分かる。
【００５３】
ユーザが録画予約の操作を行うと、制御部４はＥＰＧ蓄積部５から予約番組のＥＰＧ情報を読み出す（ステップＳ７１）。読み出したＥＰＧ情報を参照して、キーワード検索部１４により、“最大延長”の文字があるか否かをを調べる（ステップＳ７２）。「ドラマ８」の場合、そのＥＰＧ情報には“最大延長”の文字が含まれないためステップＳ７３で“最大延長”の文字は無いと判定され、ステップＳ７１で読み出したＥＰＧ情報に含まれる放送終了予定時刻（２２時００分）を、「ドラマ８」の録画終了時刻に設定する（ステップＳ７６）。
【００５４】
続いて「ドラマ８」と同じ放送スケジュール日および同じ放送チャンネル番号を持ち、「ドラマ８」よりも前に放送される番組をＥＰＧ蓄積部５から検索する（ステップＳ７７）。ここで例えば、「スポーツ８」が検索されたとする（ステップＳ７８）。
【００５５】
「ドラマ８」と同じ放送スケジュール日に同じ放送チャンネル番号で放送される「スポーツ８」が検索されると、キーワード検索部１４により、「スポーツ８」のＥＰＧ情報に“最大延長”の文字が含まれるか否かを調べる（ステップＳ７９）。図３に示したように、「スポーツ８」の番組情報には、“最大延長”の文字が含まれるため、その後に続く時間情報“２１：３０”を時間情報読み取り部１５により読み取る（ステップＳ８１）。この「スポーツ８」は、予約番組と同じ放送スケジュール日かつ同じ放送チャンネル番号をもつ番組であり、さらに番組情報に“最大延長”の文字を含んでいることから、検出番組に相当する。
【００５６】
「スポーツ８」の放送終了予定時刻である２１時００分と、ステップＳ８１で読み取った「スポーツ８」の時間情報が示す最大延長時刻である２１時３０分との差分を差分算出部２５で計算し、放送延長時間として“３０分”を算出する（ステップＳ８２）。その後、ステップＳ７６で設定した予約番組の録画終了時刻（２２時００分）に、ステップＳ８２で算出した放送延長時間を加算部２６により加算した値（２２時３０分）を、改めて予約番組の録画終了時刻に設定する（ステップＳ８３）。
【００５７】
ステップＳ８５では、放送日を９／１５（ステップＳ７１で読み取った放送日）、放送チャンネル番号を８（ステップＳ７１で読み取った放送チャンネル番号）、録画開始時刻を２１時００分（ステップＳ７１で読み取ったＥＰＧの放送開始予定時刻）、録画終了時刻を２２時３０分（ステップＳ８３で設定した録画終了時刻）の各項目を予約リストに登録し、記憶部６に記憶して終了する。その結果を図９に示す。
【００５８】
以上説明したように、ＥＰＧ情報によれば、予約番組「ドラマ８」は２１時００分から２２時００分までの放送であるが、予約番組より前に放送される検出番組「スポーツ８」の放送時間が３０分延長される可能性があるため、３０分だけ、「ドラマ８」を長く録画するように、録画終了時刻を２１時００分から２２時３０分に変更する。
【００５９】
ここで、図７に示すフローチャートのステップＳ８２で行われる、時間情報読み取り部１５で読み取った時間情報が示す最大延長時刻とＥＰＧ情報が示す放送終了予定時刻の差分を計算し、検出番組の放送延長時間を求める動作について、図１０に示すフローチャートを用いて詳しく説明する。
【００６０】
番組の放送時間が延長される場合、ＥＰＧ情報が示す放送終了予定時刻よりも、時間情報読み取り部１５で読み取った時間情報が示す最大延長時刻のほうが遅いため、放送延長時間を算出するためには、時間情報読み取り部１５で読み取った時間情報が示す最大延長時刻から放送終了予定時刻を減算する。この減算に際しては、それぞれの時刻を“時”と“分”とに分けて計算を行う。まずステップＳ１０１で、時間情報読み取り部１５で読み取った時間情報の最大延長時刻の“時”から、ＥＰＧ情報が示す放送終了予定時刻の“時”を減算する。ステップＳ１０２において、ステップＳ１０１の結果が正であると判定された場合は、ステップＳ１０３に進み、ステップＳ１０１の結果に‘６０’を掛け合わせ“分”に換算する。
【００６１】
反対に、ステップＳ１０２において、ステップＳ１０１の結果が負であると判定された場合にはステップＳ１０４に進む。ステップＳ１０１の結果が負になるのは、放送時間が翌日まで延長された場合に起こる。これについては後で具体的な例を挙げて説明する。ステップＳ１０４では、ステップＳ１０１の結果に‘２４’を加算し、続いてステップＳ１０５においてステップＳ１０４の結果に‘６０’を掛け合わせ“分”に換算する。
【００６２】
続いて、ステップＳ１０６において、時間情報読み取り部１５で読み取った時間情報が示す最大延長時刻の“分”から、ＥＰＧ情報が示す放送終了予定時刻の“分”を減算する。続いてステップＳ１０７において、ステップＳ１０２と同様、ステップＳ１０１の結果が正であるか負であるかを判定する。正であると判定された場合はステップＳ１０８に進み、ステップＳ１０３の結果とステップＳ１０６の結果を加算して終了する。ステップＳ１０１の結果が負であると判定された場合はステップＳ１０９に進み、ステップＳ１０５の結果とステップＳ１０６の結果を加算して終了する。
【００６３】
ここで、予約番組の放送時間が翌日に延長される可能性がある場合について詳しく説明する。ここでは、予約番組は図１１にそのＥＰＧ情報を示すように、番組名が「スポーツ６」であり、放送チャンネル番号が「６」であり、放送日時は「９／１５（日）２２：００−２３：３０」であり、内容が「解説・Ｃ  実況・Ｄ」（最大延長０：１５まで、以降の番組繰り下げ）」である番組である。この例では、予約番組の放送終了予定時刻は２３時３０分であり、最大延長時刻は０時１５分である。
【００６４】
ステップＳ１０１において、時間情報読み取り部１５で読み取った最大延長時刻の“時”である‘０’から放送終了時刻の“時”である‘２３’を減算すると‘−２３’の結果を得る。そのためステップＳ１０２において、ステップＳ１０１の結果は負であると判定され、ステップＳ１０４に進む。
【００６５】
ステップＳ１０４では、ステップＳ１０１の結果である‘−２３’に‘２４’を加算し‘１’の結果を得る。続いてステップＳ１０５において、ステップＳ１０４の結果‘１’を“分”に換算するために‘６０’を乗算し、‘６０’の値を得、その後、ステップＳ１０６へ進む。
【００６６】
ステップＳ１０６では、時間情報読み取り部１５で読み取った最大延長時刻の“分”である‘１５’から放送終了予定時刻の“分”である‘３０’を減算すると‘−１５’の結果を得る。ステップＳ１０７では、ステップＳ１０１の結果が負であると判定し、ステップＳ１０９に進み、ステップＳ１０５の結果である‘６０’とステップＳ１０６の結果である‘−１５’を加算し、‘４５’の結果を得る。以上により、予約番組の放送延長時間は４５分となる。
【００６７】
尚、番組が延長される場合、放送終了予定時刻よりも２４時間を越えて遅くなることはないので、図１０に示すフローチャートのように時と分に分けて計算するだけで十分である。
【００６８】
次に、図７のフローチャートのステップＳ８３で行われる、差分算出部２５で計算した放送延長時間を予約番組の録画終了時刻に加算し、新たな録画終了時刻に設定する動作について、図１２に示すフローチャートを用いて詳しく説明する。
【００６９】
ステップＳ１２１において、図７のフローチャートのステップＳ７５またはステップＳ７６で設定された予約番組の録画終了時刻における“分”に、ステップＳ８２において差分算出部２５が算出した延長時間を加算する。次にステップＳ１２２において、ステップＳ１２１の結果を‘６０’で除算し、商と余りを求める。この余りをステップＳ１２３において、録画終了時刻の“分”に設定する。また、商をステップＳ１２４において、録画終了時刻の“時”に加算する。
【００７０】
ステップＳ１２５において、ステップＳ１２４の結果が‘２４’を超えるか否かを判定し、超えていなければステップＳ１２６へ進み、ステップＳ１２４の結果を録画終了時刻の“時”とし、ステップＳ１２３で得られた結果と合わせて、ステップＳ１２９で予約番組の録画終了時刻に設定し、終了する。
【００７１】
ステップＳ１２５において、ステップＳ１２４の結果が‘２４’を超えたと判定された場合は、ステップＳ１２４へ進み、ステップＳ１２４の結果から‘２４’を減算する。続いて、ステップＳ１２８において、ステップＳ１２７の結果を録画終了時刻の“時”とし、ステップＳ１２３で得られた結果と合わせて、ステップＳ１２９で予約番組の録画終了時刻に設定し、終了する。ステップＳ１２５において、ステップＳ１２４の結果が‘２４’を超えたと判定されるのは、放送時間の変更の結果、放送終了が翌日になる場合である。
【００７２】
以上説明したように、実施の形態２によれば、テレビジョン放送信号に重畳されたＥＰＧの内容から、予約番組の放送時間の延長を考慮した録画予約の設定がなされ、更に放送時間の延長される可能性のある番組の後に放送される番組を録画予約した場合には、予約番組の放送時間の変更を考慮した録画予約の設定を行うことができるため、番組の最初から最後まで確実に録画を実行することができる。しかもユーザは複雑な操作をする必要が無く、さらに番組表などで録画したい番組及びその前に放送される番組の放送時間の延長の有無を確認する必要も無い。
【００７３】
実施の形態３．
上記の実施の形態１及び実施の形態２の録画予約装置では、ユーザが録画予約の操作を行う度に、制御部４はＥＰＧの内容から予約番組に放送時間の延長または変更の可能性があるか否かを調べるので、制御部４が録画予約設定の処理を完了するには時間を要する。従って、ユーザが複数の番組を続けて録画予約する場合、１つの番組を録画予約した後、直に次の番組の録画予約することはできず、前の番組の録画予約設定が完了するまで待たなければならないという問題がある。本発明の実施の形態３は、録画予約設定を短時間で行えるように、テレビジョン放送信号からＥＰＧを分離した後に、放送時間が延長される可能性のある番組の延長時間を予め調べておく構成となっている。
【００７４】
本発明の実施の形態３に係るテレビジョン番組の録画予約装置を備えた録画機能付きテレビジョン受像機２０の構成は、図６に示したものと同一であるため、ここでは構成の説明は省略し、図１３に示すフローチャートを参照しながら動作を説明する。
【００７５】
テレビジョン放送信号から分離部３でＥＰＧを分離し、分離したＥＰＧをＥＰＧ蓄積部５に格納する（ステップＳ１４１）。次に、ＥＰＧ蓄積部５に格納された各番組のＥＰＧ情報について、キーワード検出部１４によりその中に“最大延長”の文字が含まれるか否かを調べる（ステップＳ１４２）。ステップＳ１４３で“最大延長”の文字が無いと判定されると、‘０’をこの番組の放送延長時間とし（ステップＳ１４７）、この放送延長時間をＥＰＧ蓄積部５に格納する（ステップＳ１４８）。
【００７６】
ステップＳ１４３において、“最大延長”の文字が含まれると判定された場合はステップＳ１４４へ進み、時間情報読み取り部１５より、“最大延長”の文字の後に続く時間情報を読み取る。続いて、読み取った時間情報が示す最大延長時刻と放送終了予定時刻との差分を差分算出部２５より計算する（ステップＳ１４５）。なお差分算出部２５の詳細な説明は、図１０に示すフローチャートの通りである。
【００７７】
ステップＳ１４５の計算結果を放送延長時間とし（ステップＳ１４６）、ＥＰＧ蓄積部５に蓄積する（ステップＳ１４８）。
【００７８】
その後、ＥＰＧ蓄積部５に格納したすべての番組の情報を調べたか否かを判定し（ステップＳ１４９）、未だ調べていない番組があるときはステップＳ１４２に戻り、上記一連の処理を繰り返す。ステップＳ１４９で全ての番組について調べたと判定されたときには処理を終了する。
【００７９】
図１３のフローチャートに示す処理が終了した後のＥＰＧ蓄積部５内のＥＰＧ情報の一例を図１４に示す。このように、全ての番組について予め放送延長時間を調べ、延長時間の項目に蓄積することで、放送時間が延長される可能性のある番組の検索性を高め、かつ予約番組の延長時間をすぐに計算することができるため、録画予約設定にかかる処理時間を短縮することができる。
【００８０】
続いて、本実施の形態３における録画予約の設定動作を、図１５に示すフローチャートを参照して説明する。
【００８１】
ユーザが録画予約を行うと、制御部４はＥＰＧ蓄積部５から予約番組のＥＰＧ情報を読み出し（ステップＳ１６１）、該情報から予約番組の放送延長時間が‘０’であるか否かを調べる（ステップＳ１６２）。‘０’と判定された場合は、ステップＳ１６５に進み、ステップＳ１６１で読み取ったＥＰＧ情報に含まれる放送終了予定時刻を録画終了時刻に設定する。
【００８２】
ステップＳ１６２において、放送延長時間が‘０’以外であると判定された場合はステップＳ１６３に進み、加算部２６によりステップＳ１６１で読み取ったＥＰＧ情報に含まれる放送終了予定時刻と予約番組の放送延長時間を加算する。なお加算部２６の動作は、図１２のフローチャートで説明したものと同じである。
【００８３】
続いて、ＥＰＧ蓄積部５に格納されているＥＰＧに含まれる番組の中から予約番組と同じ放送スケジュール日および同じ放送チャンネル番号のものを探し出すため、各番組の放送スケジュール日及び放送チャンネル番号を調べる（ステップＳ１６６）。放送スケジュール日及び放送チャンネル番号が予約番組と異なる場合はステップＳ１７１へ進み、検索範囲を超えたか否かを判定する。ステップＳ１７１で検索範囲を超えていないと判定された場合は、ステップＳ１６６に戻り、次の番組について、同様に、放送スケジュール日および放送チャンネル番号を調べる。なお、“同じ放送スケジュール日”および“検索範囲”の意味は、実施の形態２で説明した通りである。
【００８４】
ステップＳ１６７で同じ放送スケジュール日と同じ放送チャンネル番号を持つ番組が見つかったと判定された場合は、ステップＳ１６８へ進み、ステップＳ１６７で見つかった番組の延長時間を読み取る。そして延長時間が‘０’であるか否かを判定する（ステップＳ１６９）。‘０’であると判定された場合はステップＳ１７１に進み、検索範囲を超えたか否かの判定が行われる。延長時間が‘０’以外であると判定された場合は、ステップＳ１７０へ進み、ステップＳ１６４またはステップＳ１６５で設定した録画終了時刻とステップＳ１６８で読み取った放送延長時間を加算部２６により加算した後、ステップＳ１７１に進み、検索範囲を超えたか否かを判定する。なお加算部２６の動作は、図１２のフローチャートで説明した通りである。
【００８５】
ステップＳ１７１で検索範囲を超えたと判定された場合は、予約番組の放送日（ステップＳ１６１で読み取った放送日）、放送チャンネル番号（ステップＳ１６１で読み取った放送チャンネル番号）、録画開始時刻（ステップＳ１６１で読み取った放送開始予定時刻）、録画終了時刻（ステップＳ１６４またはステップＳ１６５またはステップＳ１７０で設定した録画終了時刻）の各項目を予約リストに登録し（ステップＳ１７２）、記憶部６に記憶して終了する。
【００８６】
本実施の形態３では、図３に示す番組を録画予約した場合、図１５に示すフローチャートに従って処理が行われ、記憶部６に記憶される予約リストは、図５に示したものと同じになる。
【００８７】
以上説明したように、実施の形態３は、テレビジョン放送信号からＥＰＧを分離した後、直ちにＥＰＧに含まれる全ての番組について予め放送時間の延長の可能性を調べ、延長の可能性のある番組の情報をその放送延長時間と共にＥＰＧ蓄積部５に格納することで、録画予約設定にかかる時間を短縮でき、録画予約設定を素早く行うことが可能となる。
【００８８】
また、上述では、テレビジョン放送信号からＥＰＧを分離した後、全ての番組について、直ちに放送延長時間を調べるようにしたが、これに限るものではなく、スタンバイ状態、あるいはユーザがテレビを視聴している間、あるいは録画中、再生中に行うようにしても良い。
【００８９】
以上、本発明を、録画機能付のテレビジョン受像機に適用した場合について説明したが、本発明はこれに限定されるものではなく、例えば表示部１０を本体とは別の外部ディスプレイとしてもよい。この場合、本体は、本発明に従うＤ−ＶＨＳレコーダーやＤＶＤレコーダー、ハードディスクレコーダーのようなＳＴＢ（Ｓｅｔ  Ｔｏｐ  Ｂｏｘ）構成とすることができる。
【００９０】
【発明の効果】
本発明によれば、ユーザが番組の放送時間の延長や変更の可能性の有無を調べ、その結果に基づき設定を行わなくても、録画予約したい番組の放送時間が延長または変更された場合にもその番組を最初から最後まで完全に録画することが可能となる。
【図面の簡単な説明】
【図１】本発明の実施の形態１に係るテレビジョン番組の録画予約装置を備える、録画機能付きテレビジョン受像機２０の構成を示すブロック図である。
【図２】図１のテレビジョン受像機２０の表示部に表示される番組表の例を示す図である。
【図３】予約番組のＥＰＧ情報の内容を示す図である。
【図４】放送時間が延長されることを考慮した実施の形態１の装置の録画予約の設定動作を説明するフローチャートである。
【図５】実施の形態１の装置の記憶部６に格納されている予約番組の予約リストを示す図である。
【図６】本発明の実施の形態２に係るテレビジョン番組の録画予約装置を備える、録画機能付きテレビジョン受像機２０の構成を示すブロック図である。
【図７】放送時間が延長または変更されることを考慮した実施の形態２の装置の録画予約の設定動作を説明するフローチャートである。
【図８】予約番組のＥＰＧ情報の内容を表した図である。
【図９】図６のテレビジョン受像機２０の記憶部６に格納されている予約番組の予約リストを示す図である。
【図１０】実施の形態２の装置の差分算出部２５の動作を説明するフローチャートである。
【図１１】放送時間が翌日に延長される番組のＥＰＧ情報の内容を表した図である。
【図１２】実施の形態２の装置の加算部２６の動作を説明するフローチャートである。
【図１３】録画予約設定を行う前に放送時間が延長される番組の延長時間を調べ予めＥＰＧ蓄積部５に格納する本発明の実施の形態３に係るテレビジョン番組の録画予約装置の動作を説明するフローチャートである。
【図１４】ＥＰＧ蓄積部５に蓄積される内容を表した図である。
【図１５】実施の形態３の装置の録画予約設定動作を説明するフローチャートである。
【符号の説明】
１  アンテナ、  ２  受信部、  ３  分離部、  ４  制御部、  ５  ＥＰＧ蓄積部、  ６  記憶部、  ７  リモートコントローラ、  ８  受光部、  ９  切替部、  １０  表示部、  １１  蓄積部、  １４  キーワード検出部、  １５  時間情報読み取り部、  ２０  テレビジョン受像機、  ２３  カーソル、  ２５  差分算出部、  ２６  加算部。
【図１】
2004289565.tif 000003
【図２】
2004289565.tif 000004
【図３】
2004289565.tif 000005
【図４】
2004289565.tif 000006
【図５】
2004289565.tif 000007
【図６】
2004289565.tif 000008
【図７】
2004289565.tif 000009
【図８】
2004289565.tif 000010
【図９】
2004289565.tif 000011
【図１０】
2004289565.tif 000012
【図１１】
2004289565.tif 000013
【図１２】
2004289565.tif 000014
【図１３】
2004289565.tif 000015
【図１４】
2004289565.tif 000016
【図１５】
2004289565.tif 000017